(57)【要約】【課題】煩雑な操作を行うことなく一時的に呼出しを無効にし、訪問販売者の詐欺から認知症の老人を保護することができるインターホンシステムを提供する【解決手段】無線通信部１１０は、携帯端末３からの肯定応答を受信したら主制御部１０１に通知して携帯端末情報記憶部１１１に「在宅」を記憶する。肯定応答を一定時間受信出来なかった場合には、携帯端末情報記憶部１１１に「外出」を記憶することで、インターホン子機２から呼出しがあった場合に、応対できる人が一人も存在しない場合に、インターホン親機１の呼出音の鳴動を無効にし、一人以上存在する場合に、インターホン親機１の呼出音を鳴動する。【選択図】図２
2019075727.tif 000002
【特許請求の範囲】
【請求項１】
インターホン子機を収容し、前記インターホン子機の呼出ボタンが押下され、呼出信号を受信すると呼出音を鳴動するインターホン親機であって、
携帯端末が近傍にいるかを検出する無線通信手段と、
前記携帯端末の所持者が、来訪者に応対可能かの応対情報を記憶する携帯端末情報記憶手段と、を有し、
前記携帯端末情報記憶手段に記憶されている応対可能な携帯端末
が自機の近傍に存在するか否かを監視し、自機の近傍に１台も存在しないと判定した場合に、前記呼出音の鳴動を無効に設定し、
自機の近傍に１台以上存在する判定した場合に、前記呼出音の鳴動を有効に設定する呼出音設定手段を
有することを特徴とする一時的呼出し無効機能付インターホン親機。
【請求項２】
請求項１に記載のインターホン親機であって、
前記携帯端末情報記憶手段に登録されている携帯端末で、応対不可な所持者の携帯端末が、自機の近傍に存在しない状態から存在する状態になったと判定した場合に、所定の時間内であれば、前記呼出音の鳴動を有効に設定する
ことを特徴とする一時的呼出し無効機能付インターホン親機。
【発明の詳細な説明】
【技術分野】
【０００１】
本発明はインターホン親機において、インターホン子機からの呼出しを一時的に無効にすることができるインターホンシステムに関する。
【背景技術】
【０００２】
従来のインターホンシステムは、インターホン子機が訪問者の呼出操作を受付けると呼出信号をインターホン親機へ送信し、呼出信号を受付けたインターホン親機が自装置に搭載されたスピーカから呼出音を鳴動し、来訪者があったことを家の者に知らせる。
【０００３】
家の者がインターホン親機で応答するとインターホン子機とインターホン親機で通話が可能となり、その後、用事があった場合には、ドアを開けて応対することができる。
【０００４】
また、留守であった場合には、例えば、特許文献１には、インターホン子機で呼出操作があった場合に用件の入力を促す音声メッセージを出力し、インターホン子機から入力された用件を録音する機能を備える留守番機能付きインターホンシステムの技術が開示されている。
【先行技術文献】
【特許文献】
【０００５】
【特許文献１】特開２００２−３３８３８号公報
【発明の概要】
【発明が解決しようとする課題】
【０００６】
しかしながら特許文献１の技術では、判断能力が低下している老人が一人で留守番している場合については考慮されていない。例えば、老人が一人で留守番している時に訪問販売者が来訪し、老人が反射的にドアを開けて訪問販売者に商品を売りつけられてしまう可能性がある。
【０００７】
上記問題を解決する一つの方法として手動でインターホン親機の呼出音を「無鳴動」に設定して老人に気付かせない方法が考えられるが、この場合、家の者が毎回手動で切替操作を行わなければならず、煩雑である。
【０００８】
本発明は上記問題を鑑みてなされたものであり、その課題は、家の者が煩雑な操作を行うことなく、老人が一人で留守番している間、一時的に呼出音を無効にし、訪問販売者から老人を保護することができるインターホンシステムを提供することにある。
【課題を解決するための手段】
【０００９】
上記課題を解決するため、本発明は、インターホン子機を収容し、前記インターホン子機の呼出ボタンが押下され、呼出信号を受信すると呼出音を鳴動するインターホン親機であって、携帯端末が近傍にいるかを検出する無線通信手段と、携帯端末の所持者が、来訪者に応対可能かの応対情報を記憶する携帯端末情報記憶手段と、を有し、来訪者に応対可能な所持者の携帯端末が自機の近傍に存在するか否かを監視し、自機の近傍に１台も存在しないと判定した場合に、前記呼出音の鳴動を無効に設定し、自機の近傍に１台以上存在する判定した場合に、前記呼出音の鳴動を有効に設定する呼出音設定手段を有する。
【発明の効果】
【００１０】
本発明によれば、インターホン親機は、応対可能な家族が携行する携帯端末を監視し、前記携帯端末を検出出来なくなると、自インターホン親機の呼出音をオフにする。そして、電話応対可能な家族が携行する携帯端末を検出したならば、自インターホン親機の呼出音をオンにする。
【００１１】
これにより認知症の老人は、インターホン親機の呼出音に気付かないので、訪問販売者が呼出しにひっかかってしまう事を未然に防止する事が出来る。
【図面の簡単な説明】
【００１２】
【図１】図１は、本発明の一実施の形態に係るインターホンシステムの概略構成図である。
【図２】図２は、本発明の一実施の形態に係るインターホンシステムにおいて、携帯端末３−１、３−２のユーザが応対可能な状態で、インターホン親機１がインターホン子機２からの呼出通知を受付けた場合の動作シーケンスである。
【図３】図３は、本発明の一実施の形態に係るインターホンシステムにおいて、携帯端末３−１のユーザが応対不可な状態、携帯端末３−２のユーザが応対可能な状態で、インターホン親機１がインターホン子機２からの呼出通知を受付けた場合の動作例を示すシーケンス図である。
【図４】図４は、本発明の一実施の形態に係るインターホンシステムにおいて、携帯端末３−１、３−２のユーザが応対不可な状態で、インターホン親機１がインターホン子機２からの呼出通知を受付けた場合の動作例を示すシーケンス図である。
【図５】図５は、本発明の一実施の形態に係るインターホンシステムにおいて、携帯端末３−１のユーザが応対不可な状態、携帯端末３−３の応対することができないユーザが外出先から帰って来た時に、インターホン親機１がインターホン子機２からの呼出通知を受付けた場合の動作例を示すシーケンス図である。
【図６】図６は、本発明の一実施の形態に係るインターホンシステムにおいて、携帯端末３−１のユーザが応対不可な状態、携帯端末３−３の応対することができないユーザが在宅時に、インターホン親機１がインターホン子機２からの呼出通知を受付けた場合の動作例を示すシーケンス図である。
【図７】図７は、インターホン親機１の機能ブロック図である。
【図８】図８は、携帯端末情報記憶部１１１の登録内容を模式的に表した図である。
【図９】図９は、インターホン親機１の動作を説明するためのフロー図である。
【発明を実施するための形態】
【００１３】
以下、本発明の一実施の形態について、図面を参照しつつ説明する。
【００１４】
図１は、本発明の一実施の形態に係るインターホンシステムの概略構成図である。
【００１５】
図示するように、本実施の形態にインターホンシステムは、家の屋内に設置されているインターホン親機１と、家の屋外に設置されているインターホン子機２と、家族が持っている複数の携帯端末３−１〜３−ｎ（以下、単に携帯端末３とも呼ぶ）と、で構成されている。ここでは、携帯端末３の例として、スマートホン、タブレット端末等の無線端末を示している。
【００１６】
インターホン親機１は、無線通信部１１０を有しており、携帯端末３に検索ビーコンを出力し、携帯端末からの肯定応答を受信したならば「在宅」、所定の時間内に肯定応答を受信できない場合は、「外出」を携帯端末情報記憶部１１１に記憶する。また、インターホン子機２からの呼出通知を受信したならば、スピーカ及びインターホン子機２に呼出音を送出する。
【００１７】
インターホン子機２は、来訪者が呼出ボタンを押下したならば、来訪者からの呼出しがある旨の呼出通知をインターホン親機１に通知する。
【００１８】
図２は、本発明の一実施の形態に係るインターホンシステムにおいて、携帯端末３−１、３−２のユーザが応対可能な状態で、インターホン親機１がインターホン子機２からの呼出通知を受付けた場合の動作シーケンスである。
【００１９】
ここで、携帯端末３を所有している家族で応対できる人（例えば、父、母）２名と応対できない人（例えば、判断能力が低下している認知症の老人）が在宅しているものとする。
【００２０】
まず、インターホン親機１は、携帯端末３を探索するための検索ビーコンをブロードバンドで送信すると（Ｓ１００）、携帯端末３から存在する旨の肯定応答の受信を待つタイマ（以下、肯定応答待ちタイマとする。）をセットする（Ｓ１０１）。尚、検索ビーコンは、一定時間毎にインターホン親機１から送信されるものとする。
【００２１】
携帯端末３−２は、インターホン親機１からの検索ビーコンを受信すると肯定応答をインターホン親機１に送信する（Ｓ１０２）。インターホン親機１は、携帯端末３−２からの肯定応答を受信したならば、鳴動情報テーブル１１１０の在宅状況更新として、携帯端末３−２の在宅状況を「在宅」にセットする（Ｓ１０３）。
【００２２】
携帯端末３−１は、インターホン親機１からの検索ビーコンを受信すると肯定応答をインターホン親機１に送信する（Ｓ１０４）。インターホン親機１は、携帯端末３−１からの肯定応答を受信したならば、鳴動情報テーブル１１１０の在宅状況更新として、携帯端末３−１の在宅状況を「在宅」にセットする（Ｓ１０５）。
【００２３】
つぎに、インターホン子機２は、呼出操作を受け付けると（Ｓ１０６）、呼出通知をインターホン親機１に送信する（Ｓ１０７）。
【００２４】
インターホン親機１は、インターホン子機２からの呼出通知を受信すると、鳴動情報テーブル１１１０の在宅状況フィールド１１１３と応対可否フィールド１１１４（以下、鳴動情報とする。）を解析し「応対可能な携帯端末が複数あり」と判定したならば（Ｓ１０８）、子機呼出要求をインターホン子機２に送信する（Ｓ１０９）。これを受けて、インターホン子機２は、スピーカから呼出音を送出する（Ｓ１１０）。そして、インターホン親機１はスピーカから呼出音を送出する（Ｓ１１１）。
【００２５】
図３は、本発明の一実施の形態に係るインターホンシステムにおいて、携帯端末３−１のユーザが応対不可な状態、携帯端末３−２のユーザが応対可能な状態で、インターホン親機１がインターホン子機２からの呼出通知を受付けた場合の動作例を示すシーケンス図である。
【００２６】
ここで、携帯端末３を所有している家族で応対できる人（例えば、父）が外出しており、携帯端末３を所有している家族で応対できる人（例えば、母）１名と応対できない人（例えば、判断能力が低下している認知症の老人）が在宅しているものとする。    
【００２７】
まず、インターホン親機１は、携帯端末３に検索ビーコンをブロードバンドで送信すると（Ｓ１１２）、肯定応答待ちタイマをセットする（Ｓ１１３）。
【００２８】
携帯端末３−２は、インターホン親機１からの検索ビーコンを受信すると肯定応答をインターホン親機１に送信する（Ｓ１１４）。インターホン親機１は、携帯端末３−２からの肯定応答を受信したならば、鳴動情報テーブル１１１０の在宅状況更新として、携帯端末３−２の在宅状況を「在宅」にセットする（Ｓ１１５）。
【００２９】
携帯端末３−１は、外出しているため、検索ビーコンを受信できず、肯定応答をインターホン親機１に送信しない。
【００３０】
インターホン親機１は、肯定応答待ちタイマがタイムアウトすると（Ｓ１１６）、鳴動情報テーブル１１１０の在宅状況更新として、携帯端末３−１の在宅状況を「外出」にセットする（Ｓ１１７）。
【００３１】
つぎに、インターホン子機２は、呼出操作を受け付けると（Ｓ１１８）、呼出通知をインターホン親機１に送信する（Ｓ１１９）。
【００３２】
インターホン親機１は、インターホン子機２からの呼出通知を受信すると、鳴動情報を判定し「応対可能な携帯端末が一つあり」と判定したならば（Ｓ１２０）、子機呼出要求をインターホン子機２に送信する（Ｓ１２１）。これを受けて、インターホン子機２は、スピーカから呼出音を送出する（Ｓ１２２）。そして、インターホン親機１はスピーカから呼出音を送出する（Ｓ１２３）。
【００３３】
図４は、本発明の一実施の形態に係るインターホンシステムにおいて、携帯端末３−１、３−２のユーザが応対不可な状態で、インターホン親機１がインターホン子機２からの呼出通知を受付けた場合の動作例を示すシーケンス図である。
【００３４】
ここで、携帯端末３を所有している家族で応対できる人（例えば、父、母）２名が外出しており、応対できない人（例えば、判断能力が低下している認知症の老人）のみが在宅しているものとする。
【００３５】
まず、インターホン親機１は、携帯端末３に検索ビーコンをブロードバンドで送信すると（Ｓ１２４）、肯定応答待ちタイマをセットする（Ｓ１２５）。
携帯端末３−２は、外出しているため、検索ビーコンを受信できず、肯定応答をインターホン親機１に送信しない。
【００３６】
インターホン親機１は、肯定応答待ちタイマがタイムアウトすると（Ｓ１２６）、鳴動情報テーブル１１１０の在宅状況更新として、携帯端末３−２の在宅状況を「外出」にセットする（Ｓ１２７）。
【００３７】
つぎに、インターホン子機２は、呼出操作を受け付けると（Ｓ１２８）、呼出通知をインターホン親機１に送信する（Ｓ１２９）。
【００３８】
インターホン親機１は、インターホン子機２からの呼出通知を受信すると、鳴動情報を判定し「応対可能な携帯端末なし」と判定したならば（Ｓ１３０）、子機呼出要求をインターホン子機２に送信する（Ｓ１３１）。これを受けて、インターホン子機２は、スピーカから呼出音を送出する（Ｓ１３２）。そして、インターホン親機１はスピーカから呼出音を送出せず無効とする（Ｓ１３３）。
【００３９】
図５は、本発明の一実施の形態に係るインターホンシステムにおいて、携帯端末３−１のユーザが応対不可な状態、携帯端末３−３の応対することができないユーザが外出先から帰って来た時に、インターホン親機１がインターホン子機２からの呼出通知を受付けた場合の動作例を示すシーケンス図である。
【００４０】
ここで、携帯端末３を所有している家族で応対できる人（例えば、父、母）が２名と、応対できない人（例えば、中学生）とも外出しており、応対できない人（例えば、判断能力が低下している認知症の老人）が在宅しているものとする。中学生は、家の鍵を持っていないことも考えられ、その場合は、在宅している人をインターホンで呼出し、ドアの鍵を開けてもらう必要がある。
【００４１】
まず、インターホン親機１は、携帯端末３に検索ビーコンをブロードバンドで送信すると（Ｓ１３４）、肯定応答待ちタイマをセットする（Ｓ１３５）。
携帯端末３−３は、外出しているため、検索ビーコンを受信できず、肯定応答をインターホン親機１に送信しない。
【００４２】
インターホン親機１は、肯定応答待ちタイマがタイムアウトすると（Ｓ１３６）、鳴動情報テーブル１１１０の在宅状況更新として、携帯端末３−３の在宅状況を「外出」にセットする（Ｓ１３７）。
【００４３】
つぎに、インターホン親機１は、携帯端末３に検索ビーコンをブロードバンドで送信すると（Ｓ１３８）、肯定応答待ちタイマをセットする。
【００４４】
携帯端末３−３は、外出先から家に帰ってきており、インターホン親機１からの検索ビーコンを受信すると肯定応答をインターホン親機１に送信する（Ｓ１３９）。インターホン親機１は、携帯端末３−３からの肯定応答を受信したならば、鳴動情報テーブル１１１０の在宅状況更新として、携帯端末３−３の在宅状況を「帰り」にセットする（Ｓ１４０）。
【００４５】
インターホン親機１は、登録している携帯端末３−３が外出先から家に帰って来たと判断し、応対できない人（例えば、中学生）の呼出操作を一定時間有効にするためのタイマ（以下、鳴動不可タイマとする。）をセットする（Ｓ１４１）。
【００４６】
想定として、家の中に応対できない人（例えば、判断能力が低下している認知症の老人）のみ在宅の場合は、本発明ではインターホン呼出があっても、インターホン親機は呼出音を鳴動させない。しかし、例外として、登録されている携帯端末の所持者（例えば、中学生）が、家の中に鍵を忘れて玄関のドアの前まで帰ってきて鍵がないのに気づいた場合、携帯端末情報記憶部１１１に記憶された在宅状況が在宅と判断されたら、ある一定時間のみ、インターホン親機呼出可能時間として設けることにより、認知症の老人に気づいて貰い、玄関のドアの鍵を開けて貰うことが可能となる。
【００４７】
つぎに、インターホン子機２は、呼出操作を受け付けると（Ｓ１４２）、呼出通知をインターホン親機１に送信する（Ｓ１４３）。
【００４８】
インターホン親機１は、インターホン子機２からの呼出通知を受信すると、鳴動情報を判定し「応対可能な携帯端末なしであっても登録者が家に帰ってきた」と判定したならば（Ｓ１４４）、子機呼出要求をインターホン子機２に送信する（Ｓ１４５）。これを受けて、インターホン子機２は、スピーカから呼出音を送出する（Ｓ１４６）。そして、インターホン親機１はスピーカから呼出音を送出する（Ｓ１４７）。
【００４９】
応対できない人（例えば、判断能力が低下している認知症の老人）のみが在宅している場合であって、携帯端末登録者（家族）が家に帰ってきた場合は、呼出を有効とすることで、鍵を開けて家に入れるようにすることができる。
【００５０】
図６は、本発明の一実施の形態に係るインターホンシステムにおいて、携帯端末３−１のユーザが応対不可な状態、携帯端末３−３の応対することができないユーザが在宅時に、インターホン親機１がインターホン子機２からの呼出通知を受付けた場合の動作例を示すシーケンス図である。
【００５１】
ここで、携帯端末３を所有している家族で応対できる人（例えば、父、母）が２名とも外出しており、応対できない人（例えば、中学生）と応対できない人（例えば、判断能力が低下している認知症の老人）が在宅しているものとする。
【００５２】
鳴動不可タイマがタイムアウトすると（Ｓ１４８）、鳴動情報テーブル１１１０の在宅状況更新として、携帯端末３−３の在宅状況を「在宅」にセットする（Ｓ１４９）。
【００５３】
つぎに、インターホン子機２は、呼出操作を受け付けると（Ｓ１５０）、呼出通知をインターホン親機１に送信する（Ｓ１５１）。
【００５４】
インターホン親機１は、インターホン子機２からの呼出通知を受信すると、鳴動情報を判定し「応対可能な携帯端末なし」と判定したならば（Ｓ１５２）、子機呼出要求をインターホン子機２に送信する（Ｓ１５３）。これを受けて、インターホン子機２は、スピーカから呼出音を送出する（Ｓ１５４）。そして、インターホン親機１はスピーカから呼出音を送出せず無効とする（Ｓ１５５）。
【００５５】
つぎに、インターホン親機１の詳細を説明する。
【００５６】
図７は、インターホン親機１の機能ブロック図である。
【００５７】
図示するように、インターホン親機１は、主制御部１０１と、インターホン子機インターフェース部１０２と、呼出通知受信部１０３と、通話制御部１０４と、マイク１０５と、スピーカ１０６と、タイマ管理部１０７と、操作部１０８と、表示部１０９と、無線通信部１１０と、携帯端末情報記憶部１１１と、を備えている。
主制御部１０１は、インターホン親機１の各部１０２〜１１１を統括的に制御する。
【００５８】
インターホン子機インターフェース部１０２は、インターホン子機２に接続するためのインターフェースである。
【００５９】
呼出通知受信部１０３は、インターホン子機インターフェース部１０２を介してインターホン子機２から呼出通知を受信する。
【００６０】
通話制御部１０４は、主制御部１０１の指示に従い、呼出音のスピーカ送出有無を制御する。
【００６１】
また、通話制御部１０４は、マイク１０５からの音声信号をインターホン子機２への送出有無を制御する。
【００６２】
また、通話制御部１０４は、インターホン子機２からの音声信号をスピーカ１０６への送出有無を制御する。
【００６３】
マイク１０５は、音声信号を受信する。
【００６４】
スピーカ１０６は、音声信号や呼出音を送出する。
【００６５】
タイマ管理部１０７は、主制御部１０１の指示に従い肯定応答待ちタイマのセットとストップを制御し、タイムアウトした場合は主制御部１０１に通知する。
【００６６】
また、タイマ管理部１０７は、主制御部１０１の指示に従い鳴動不可タイマのセットとストップを制御し、タイムアウトした場合は主制御部１０１に通知する。
【００６７】
操作部１０８は、携帯端末３をインターホン親機１に登録する場合や、インターホン子機２から呼び出しに応答する場合に主制御部１０１に通知する。
【００６８】
表示部１０９は、携帯端末３をインターホン親機１に登録する場合に、主制御部１０１の指示にしたがい表示を行う。
【００６９】
無線通信部１１０は、定期的に検索ビーコンをブロードバンドで携帯端末３に送信し、携帯端末3からの肯定応答を待つ。肯定応答を受信したならば、携帯端末3のＭＡＣアドレスと肯定応答を主制御部１０１に通知する。
【００７０】
携帯端末情報記憶部１１１には、インターホン親機１に登録されている携帯端末３の在宅状況や応対可否に関する情報が記憶される。
【００７１】
図８は、携帯端末情報記憶部１１１の登録内容例を模式的に表した図である。
【００７２】
図示するように、携帯端末情報記憶部１１１は、鳴動情報テーブル１１１０を記憶しており、在宅状況のレコード１１１５を有する。在宅状況のレコード１１１５は、登録している携帯端末３を番号にて管理するフィールド１１１１と、携帯端末３のＭＡＣアドレスを登録するフィールド１１１２と、携帯端末３の在宅状況（「在宅」、「外出」、「帰り」のいずれか）を登録するフィールド１１１３と、携帯端末３の応対可否（「応対可能」、「応対不可」のいずれか）を登録するフィールド１１１４と、を有する。
【００７３】
図９は、インターホン親機１の動作を説明するためのフロー図である。
【００７４】
まず、検索ビーコン送信タイミングか（Ｓ２００）、鳴動不可タイマがタイムアウトしたか（Ｓ２０１）、呼出通知を受信したか（Ｓ２０２）を待つ。
検索ビーコン送信タイミングの場合（Ｓ２００でＹｅｓ）、インターホン親機１は、携帯端末３に検索ビーコンをブロードバンドで送信すると（Ｓ２０３）、肯定応答待ちタイマをセットする（Ｓ２０４）。
【００７５】
つぎに、インターホン親機１は、携帯端末３からの肯定応答を受信したか（Ｓ２０５）、肯定応答待ちタイマがタイムアウトしたか（Ｓ２０６）を待つ。
【００７６】
インターホン親機１は、携帯端末３からの肯定応答を受信したならば（Ｓ２０５でＹｅｓ）、肯定応答から携帯端末３の携帯端末番号（ＭＡＣアドレス）を特定し（Ｓ２０７）、鳴動情報テーブル１１１０のＭＡＣアドレスフィールド１１１２と特定した携帯端末３からの携帯端末番号（ＭＡＣアドレス）を比較し、一致したレコード１１１５を抽出する（Ｓ２０８）。
【００７７】
インターホン親機１は、抽出したレコード１１１５の応答対可否フィールド１１１４が「応対可能」か判定する（Ｓ２０９）。「応対可能」の場合（Ｓ２０９でＹｅｓ）、抽出したレコード１１１５の在宅状況フィールド１１１３に「在宅」をセットする（Ｓ２１０）。「応対可能」でない場合（Ｓ２０９でＮｏ）、抽出したレコード１１１５の在宅状況フィールド１１１３が「外出」の場合（Ｓ２１１でＹｅｓ）には、抽出したレコード１１１５の在宅状況フィールド１１１３に「帰り」にセットし（Ｓ２１２）、鳴動不可タイマをスタートさせ（Ｓ２１３）、Ｓ２０６に戻る。抽出したレコード１１１５の在宅状況フィールド１１１３が「外出」でない場合（Ｓ２１１でＮｏ）、Ｓ２０６に戻る。
【００７８】
インターホン親機１は、肯定応答待ちタイマがタイムアウトすると（Ｓ２０６でＹｅｓ）、Ｓ２０８で携帯端末番号の一致するレコードを抽出しなかった携帯端末を特定し（Ｓ２１４）、鳴動情報テーブル１１１０から特定した携帯端末３のレコードを抽出し（Ｓ２１５）、抽出したレコード１１１５の在宅状況フィールド１１１３に「外出」をセットする（Ｓ２１６）。
【００７９】
つぎに、インターホン親機１は、鳴動不可タイマがタイムアウトすると（Ｓ２０１でＹｅｓ）、鳴動情報テーブル１１１０の在宅状況フィールド１１１３が「帰り」の場合に「在宅」にセットし直し（Ｓ２１７）、Ｓ２００に戻る。
【００８０】
つぎに、インターホン親機１は、インターホン子機２からの呼出通知を受信すると（Ｓ２０２でＹｅｓ）、鳴動情報テーブル１１１０の在宅状況フィールド１１１３が「在宅」のレコードの抽出を行い（Ｓ２１８）、「在宅」のレコードを抽出したかを判断する（Ｓ２１９）。「在宅」のレコードを抽出した場合は（Ｓ２１９でＹｅｓ）、抽出したレコードの内、応対可否フィールド１１１４が「応対可能」のレコードの抽出を行い（Ｓ２２０）、「応対可能」のレコードを抽出したか判断する（Ｓ２２１）。「応対可能」のレコードが存在した場合（Ｓ２２１でＹｅｓ）、子機呼出要求をインターホン子機２に送信する（Ｓ２２２）。これを受けて、インターホン子機２は、スピーカから呼出音を送出する。そして、インターホン親機１はスピーカから呼出音を送出し（Ｓ２２３）、Ｓ２００に戻る
【００８１】
インターホン親機１は、「在宅」のレコードを抽出しなかった場合は（Ｓ２１９でＮｏ）、鳴動情報テーブル１１１０の在宅状況フィールド１１１３が「帰り」のレコードを抽出し（Ｓ２２４）、「帰り」のレコードを抽出したかを判断する（Ｓ２２５）。「帰り」のレコードを抽出した場合は（Ｓ２２５でＹｅｓ）、子機呼出要求をインターホン子機２に送信する（Ｓ２２２）。これを受けて、インターホン子機２は、スピーカから呼出音を送出する。そして、インターホン親機１はスピーカから呼出音を送出し（Ｓ２２３）、Ｓ２００に戻る。
【００８２】
インターホン親機１は、「応対可能」なレコードが存在しない場合（Ｓ２２１でＮｏ）、鳴動情報テーブル１１１０の在宅状況フィールド１１１３が「帰り」のレコードの抽出を行い（Ｓ２２４）、「帰り」のレコードを抽出したかを判断する（Ｓ２２５）。「帰り」のレコードを抽出しなかった場合（Ｓ２２５でＮｏ）、子機呼出要求をインターホン子機２に送信する（Ｓ２２６）。これを受けて、インターホン子機２は、スピーカから呼出音を送出し、Ｓ２００に戻る。これにより、応対できる人が外出して、一人もいないと判断し、インターホン親機１からは呼出音を鳴動させないことで、応対できない人（例えば、判断能力が低下している認知症の老人）が在宅の場合に、訪問販売者が来訪し、老人が反射的にドアを開けて訪問販売者に商品を売りつけられてしまうことを防ぐことができる。
【００８３】
以上、本発明の一実施の形態について説明した。
【００８４】
本実施の形態によれば、インターホン親機１の無線通信部１１０は、携帯端末３から肯定応答を受信すると、主制御部１０１に通知して携帯端末情報記憶部１１１に「在宅」を記憶する。肯定応答を一定時間受信出来なかった場合には、携帯端末情報記憶部１１１に「外出」を記憶することで、インターホン子機２から呼出しがあった場合に、応対できる人が一人も存在しない場合に、インターホン親機１の呼出音の鳴動を無効にし、一人以上存在する場合に、インターホン親機１の呼出音を鳴動する。
【００８５】
これにより、認知症の老人が、インターホン親機１からの呼出し音を鳴動させないため応答できず、訪問販売にひっかかってしまう事を未然に防止する事が出来るようになる。
【００８６】
また、本実施の形態によれば、携帯端末情報記憶部１１１に応対可否情報を記憶することで、携帯端末情報記憶部１１１に登録されている「応対不可」な携帯端末３が「外出」から「在宅」に在宅状況が変更になった場合に、家に帰って来たと判断し、インターホン子機２から呼出しがあった場合に、応対できる人が一人も存在しない場合でも、一定時間は、インターホン親機１の呼出音を鳴動する。
【００８７】
これにより、応対できない中学生が家に帰って来た場合に、在宅している認知症の老人が、鍵を開けて家に入れるようにすることができる。
なお、本発明は上記の実施の形態に限定されるものではなく、その要旨の範囲内で数々の変形が可能である。
【００８８】
例えば、上記の実施形態において、インターホン親機１は、来客に応対出来る人が一人もいない場合に、インターホン親機１の呼出音を鳴らさないようにすることが記載されているが、本発明はこれに限定しない。主制御部１０１が、インターホン子機２からの呼出通知を受信したら、通話制御部１０４に鳴動を無効にするように指示し、インターホン子機２の呼び出し音を鳴らさないようにしてもよい。
【００８９】
これにより、インターホン子機２からの呼出音が、家の中に聞こえるような建物であっても、認知症の老人は、来客に気づかずに済む。
【００９０】
なお、上記の実施形態において、インターホン親機は、主制御部１０１が、インターホン子機２からの呼出通知を受信したら、主制御部１０１は、携帯端末情報記憶部１１１に記憶されている在宅状況を判断し、応対可能な人物が一人もいない場合で、認知症の老人のみが在宅の場合に、操作部１０８から操作された内容を主制御部１０１で、無視し通話制御部１０４に音声を流さないようにして、インターホン親機１の応答操作を無効にしてもよい。
【００９１】
これにより、認知症の老人が、誤って操作部１０８にて応答操作を行ってしまった場合でも、応答操作が無効となり、宅内の音や声が外に漏れることがないため安心して外出することが出来る。
【００９２】
なお、上記の実施形態において、インターホン親機１は、無線通信部１１０と携帯端末が通信を開始し、外出していた家族が家に帰ってきたと判断された場合に、鳴動不可タイマを設けることが記載されているが、本発明はこれに限定しない。インターホン親機１の主制御部１０１が、外出していた家族について外出→帰りとなった場合(実際にドアを開ける前)に、家族が家に帰ってきた旨を、インターホン親機１から通知音とガイダンスを流すようにしてもよい。
【００９３】
これにより、認知症の老人は、家族が家に帰ってきたことを知ることができ、安心することができる。
【符号の説明】
【００９４】
１：インターホン親機、２：インターホン子機、３−１〜３−ｎ：携帯端末、１０１：主制御部、１０２：インターホン子機インターフェース部、１０３：呼出通知受信部、１０４：通話制御部、１０５：マイク、１０６：スピーカ、１０７：タイマ管理部、１０８：操作部、１０９：表示部、１１０：無線通信部、１１１：携帯端末情報記憶部
【図１】
2019075727.tif 000003
【図２】
2019075727.tif 000004
【図３】
2019075727.tif 000005
【図４】
2019075727.tif 000006
【図５】
2019075727.tif 000007
【図６】
2019075727.tif 000008
【図７】
2019075727.tif 000009
【図８】
2019075727.tif 000010
【図９】
2019075727.tif 000011